(57)【要約】【課題】家屋の外部開口に手軽に設置できるとともに外部光の採光も可能とする。  【解決手段】家屋の外部開口に装着されるペット用出入口付き建具１であって、矩形の枠体２と当該枠体２の内空間を閉止する光透過性のある窓板３１，３２とを備え、枠体２の上辺と下辺が外部開口の上縁と下縁のサッシレールに嵌装されるとともに、窓板は上下に分割されて下側窓板３２は枠体２の左右辺に沿って昇降可能となっており、下側窓板３２を適当量上昇させて生じる開口ＰＯをペット用出入口とする。枠体２は上下に分割されており、下側枠体２２に対して上側枠体２１を所定量引き出し可能である。【選択図】        図３
2007107181.tif 000002
【特許請求の範囲】
【請求項１】
家屋の外部開口に装着されるペット用出入口付き建具であって、矩形の枠体と当該枠体の内空間を閉止する光透過性のある窓板とを備え、前記枠体の上辺と下辺が前記外部開口の上縁と下縁のサッシレールに嵌装されるとともに、前記窓板は上下に分割されて下側窓板は前記枠体の左右辺に沿って昇降可能となっており、前記下側窓板を適当量上昇させて生じる開口をペット用出入口としたペット用出入口付き建具。
【請求項２】
前記枠体は上下に分割されており、下側枠体に対して上側枠体を所定量引き出し可能としてある請求項１に記載のペット用出入口付き建具。
【請求項３】
前記下側窓板を適当量上昇させた位置で保持する保持手段を設けた請求項２に記載のペット用出入口付き建具。
【請求項４】
前記ペット用出入口を覆うように暖簾体を設けた請求項１ないし３のいずれかに記載のペット用出入口付き建具。
【発明の詳細な説明】
【技術分野】
【０００１】
本発明はペット用出入口付き建具に関し、特に、家屋から庭やベランダへ出る開口に好適に使用できるペット用出入口付き建具に関する。
【背景技術】
【０００２】
この種のペット用出入口付き建具としては、例えば特許文献１に示すものが提案されており、これはアルミサッシ引き戸の本体下部に小窓枠を取り付け、当該小窓枠内に片引き可能に可動ガラス戸を設けてペット用出入口としている（以上、第１従来例）。また、特許文献２には、建具を上部板と下部板にスライド可能に分割して、異なる高さの室内開口に容易に装着できるようにし、下部板の一部にペット用出入口を設けて扉で開閉するようにしたものが示されている（以上、第２従来例）。
【特許文献１】特開２０００−１３００４６
【特許文献２】実用新案登録第３１０４８７７号
【発明の開示】
【発明が解決しようとする課題】
【０００３】
しかし、上記第１従来例ではアルミサッシ引き戸自体の構造を変更する必要があるために手軽に設置できないという問題があり、また、上記第２従来例では、室内での使用を前提としているために外部光の採光について何ら考慮されていないという問題があった。
【０００４】
そこで、本発明はこのような課題を解決するもので、家屋の外部開口に手軽に設置できるとともに外部光の採光も可能なペット用出入口付き建具を提供することを目的とする。
【課題を解決するための手段】
【０００５】
上記目的を達成するために、本第１発明では、家屋の外部開口に装着されるペット用出入口付き建具（１）であって、矩形の枠体（２）と当該枠体（２）の内空間を閉止する光透過性のある窓板（３１，３２）とを備え、枠体（２）の上辺と下辺が外部開口の上縁と下縁のサッシレール（Ｌ１，Ｌ２）に嵌装されるとともに、窓板は上下に分割されて下側窓板（３２）は枠体（２）の左右辺に沿って昇降可能となっており、下側窓板（３２）を適当量上昇させて生じる開口（ＰＯ）をペット用出入口とする。
【０００６】
本第１発明においては、枠体の上辺と下辺を外部開口の上縁と下縁のサッシレールに嵌装するだけで、従来のサッシ引き戸に改造を加えることなく外部開口に手軽に設置することができる。また、光透過性のある窓板を設けることによって外部光の採光も確保される。
【０００７】
本第２発明では、上記枠体（２）は上下に分割されており、下側枠体（２２）に対して上側枠体（２１）を所定量引き出し可能としてある。
【０００８】
本第２発明においては、外部開口の開口高さが枠体の高さよりも高い場合には、上側枠体を下側枠体から引き出して枠体の全体高を実質的に外部開口の開口高さと同一に調整した後に外部開口へ装着することができる。  
【０００９】
本第３発明では、上記下側窓板（３２）を適当量上昇させた位置で保持する保持手段（４１，４２）を設ける。本第３発明においては、下側窓板の上昇により生じたペット用出入口を常時開放状態とすることができる。
【００１０】
本第４発明では、上記ペット用出入口（ＰＯ）を覆うように暖簾体（３４）を設ける。
本第４発明においては、暖簾体によって、外部との遮断を図りつつペットの通過のみを許容することができる。
【００１１】
なお、上記カッコ内の符号は、後述する実施形態に記載の具体的手段との対応関係を示すものである。
【発明の効果】
【００１２】
以上のように、本発明のペット用出入口付き建具によれば、家屋の外部開口に手軽に設置できるとともに外部光の採光も可能である。
【発明を実施するための最良の形態】
【００１３】
図１には、引き違い式サッシ戸Ｅ１，Ｅ２で開閉される家屋の外部開口に、本発明のペット用出入口付き建具１を装着した状態の正面図を示す。建具１は一定幅の縦長矩形体で、サッシ戸の一方Ｅ１を一定量開いて生じた開口空間に設置されている。建具１は金属製枠体２によって縁取られており、枠体２の左右辺は、上下方向の適宜位置に配設した横枠２３によって結合されている。枠体２は相対的に長尺の上側枠体２１と相対的に短尺の下側枠体２２に分割されており、図２に示すように上側枠体２１の上辺２４にこれに沿って形成された溝条２４１を、外部開口の上縁に配設されたサッシレールＬ１に嵌装するとともに、上側枠体２１の上辺２４に室内側（図２の左方）から溝条２４１内へ貫通させたビス２４２の先端をサッシレールＬ１の縦壁Ｌ１１に圧接させることにより、上側枠体２１がサッシレールＬ１に固定されている。一方、下側枠体２２は、その下辺に沿って形成された溝条２５１を、外部開口の下縁に配設されたサッシレールＬ２の縦壁Ｌ２１に嵌装して、これに載置されている。
【００１４】
図３にはペット用出入口付き建具１の詳細正面図を示し、図４、図５にはそれぞれ図３のIV−IV線、V−V線に沿った断面図を示す。上側枠体２１の内空間には、外部光の採光を可能とする光透過性のある樹脂製の窓板３１が配設されて閉止されている。すなわち、図４に示すように、上側枠体２１の左右辺は閉断面の前側枠部２１１と、対向方向の内方へ開放する略コ字断面の後側枠部２１２で構成されており、窓板３１はその側縁が、前側枠部２１１の背面と、後側枠部２１２内に配設された略Ｌ字断面のスペーサ板２１３との間に挟着されている。後側枠部２１２の内空間は後述する下側枠体２２の窓板３２を上下方向へガイドする案内レールとなっている。上側枠体２１の下端両側の前側枠部２１１内には、下方へ向けて延びる丸棒状の脚体３３の上端部が固定されている。なお、上側枠体２１の上辺２４（図１）中央からは下方へ、保持手段を構成する一定長の鎖４１が垂下し、その下端にはフック４２が取着されている。
【００１５】
下側枠体２２の左右辺は図５に示すように、上側枠体２１の左右辺とほぼ同断面の前側枠部２２１と後側枠部２２２で構成されており、前側枠部２２１内には上側枠体２１から延びる脚体３３が相対移動可能に挿入されている。また、案内レールとして機能する後側枠部２２２内には窓板３２の両側縁が位置して、窓板３２が下側枠体２２の左右辺に沿って上下動（昇降）可能となっている。窓板３２は下側枠体２２よりもやや長い形状となっており、その上辺左右縁は上側枠体２１の後側枠部２１２内に位置している（図４）。上記窓板３２の上端部中央にはフック係止穴３２１（図３）が設けられている。また、下側枠体２２の上下方向中間位置に設けた横枠２３には、多数の短冊状片を隣接垂下させた暖簾体３４の上端が固定されている。
【００１６】
このような構造の建具１において、猫や犬等のペットの出入を確保する場合には、下側枠体２２の窓板３２を図３に示すように上昇させてそのフック係止穴３２１に鎖４１先端のフック４２を係止させる。これにより窓板３２は一定量上昇した位置で保持され、その下方に、暖簾体３４で覆われたペット用出入口ＰＯが開口する。これにより、家屋からのペットの出入りが常時可能となる。家屋外部開口の開口高さが建具１よりも高い場合には、図６に示すように上側枠体２１を下側枠体２２から引き出してその高さを外部開口に合わせた後に、上側枠体２１を外部開口上縁のサッシレールＬ１（図２）に固定する。なお、この場合に上側枠体２１の脚体３３と外部開口側縁やサッシ戸Ｅ１側縁との間に生じる空隙Ｓ（図６）は適当な詰め物を使用して閉鎖すると良い。
【００１７】
このようなペット用出入口付き建具はサッシ戸の構造を変更することなく既存の家屋外部開口に簡易に設置することができ、しかも、光透過性のある窓板によって屋内への外部光の入射が遮られることもない。
【００１８】
なお、外部開口の開口高さに合わせて、異なる高さの複数種の建具を用意するようにすれば、枠体を下側枠体と上側枠体に分割する必要はない。
【図面の簡単な説明】
【００１９】
【図１】本発明の一実施形態を示す、ペット用出入口付き建具を設置した家屋の外部開口の正面図である。
【図２】ペット用出入口付き建具の上端部と下端部の側面図である。
【図３】ペット用出入口付き建具の正面図である。
【図４】図３のIV−IV線に沿った断面図である。
【図５】図３のV−V線に沿った断面図である。
【図６】上側枠体を引き上げた状態のペット用出入口付き建具の要部正面図である。
【符号の説明】
【００２０】
１…ペット用出入口付き建具、２…枠体、２１…上側枠体、２２…下側枠体、３１，３２…窓板、３４…暖簾体、４１…鎖、４２…フック、Ｌ１，Ｌ２…サッシレール、ＰＯ…ペット用出入口。
【図１】
2007107181.tif 000003
【図２】
2007107181.tif 000004
【図３】
2007107181.tif 000005
【図４】
2007107181.tif 000006
【図５】
2007107181.tif 000007
【図６】
2007107181.tif 000008